(57)【要約】【課題】容易に取り外すことができるネットワークコネクタを提供する。【解決手段】本考案のネットワークコネクタは、雄コネクタ本体１と、雄コネクタ本体１に可動接続される保護カバー２と、を含む。雄コネクタ本体１の一方の側部には、弾性係合爪３が設けられる。雄コネクタ本体１の他方の側部に接合される支持フレーム５には、弾性係合爪３に係合される可動係合部材４が設けられる。保護カバー２を前進又は後退させると、可動係合部材４の揺動を制御し、雄コネクタ本体１の一方の側部に設けられる弾性係合爪３を上方に跳ね上げたり、下方に押圧したりすることができる。即ち、保護カバー２を下方に引っ張ると、弾性係合爪３が下方に押圧されるため、コネクタを簡単に取り外すことができる。【選択図】図２
0003187066.tif 000002
【実用新案登録請求の範囲】
【請求項１】
雄コネクタ本体と、前記雄コネクタ本体に可動接続される保護カバーと、を備えるネットワークコネクタであって、
前記雄コネクタ本体は、ケーブルの端部に電気的に接続され、前記雄コネクタ本体の一方の側部には、弾性係合爪が設けられ、前記雄コネクタ本体の他方の側部には、前記保護カバーを可動接続するために用いられる支持フレームが接合され、前記保護カバーには、前記ケーブルが貫設され、
前記支持フレームには、前記弾性係合爪に係合される可動係合部材が設けられ、前記支持フレームには、バネが嵌設され、前記バネの一方の端部が前記保護カバーの内壁の一方の側部の第１の凸部に接触することにより、前記保護カバーを後方に引っ張ると、前記バネが圧縮され、前記保護カバーに設置される連動部により、前記可動係合部材が駆動されて前記支持フレームに対して揺動し、前記可動係合部材が前記弾性係合爪を下方に押圧することを特徴とするネットワークコネクタ。
【請求項２】
前記可動係合部材は、軸により、前記支持フレームに枢着されることを特徴とする請求項１に記載のネットワークコネクタ。
【請求項３】
前記支持フレームの一方の端部には、尾部カバーが装着され、前記尾部カバーの内壁は、前記バネの他方の端部が接触する第２の凸部を有することを特徴とする請求項１に記載のネットワークコネクタ。
【考案の詳細な説明】
【技術分野】
【０００１】
本考案は、コネクタに関し、特に、取り外しが容易なネットワークコネクタに関する。
【背景技術】
【０００２】
コネクタには、安全構造として弾性係合爪が設けられる。コネクタは、雄コネクタが対応する雌コネクタに挿入されることにより、データ伝送を行う接続部材である。現在、市場におけるコネクタの安全構造は、雄コネクタ本体、保護カバー及びケーブルを含む。ケーブルの端部は、保護カバーを貫通し、雄コネクタ本体内に進入し、雄コネクタと電気的に接続される。雄コネクタの一方の側部には、弾性係合爪が設けられ、コネクタが係合孔に挿入されると、弾性係合爪が係合孔内に係合される。コネクタを取り外す際は、先ず、弾性係合爪を下方に押圧し、その後、コネクタを引き抜く必要があるため、コネクタが手の届きにくい場所にある場合、コネクタを取り外すのに極めて不便である。
【０００３】
本考案の考案者は、従来技術の欠点に鑑み、研究及び改良を重ね、ついに、取り外しが容易なネットワークコネクタを案出した。
【先行技術文献】
【特許文献】
【０００４】
【特許文献１】登録実用新案第３１１９１４５号公報
【考案の概要】
【考案が解決しようとする課題】
【０００５】
本考案の主な目的は、従来技術のコネクタの欠点を解決することができ、取り外しが容易なネットワークコネクタを提供することにある。
【課題を解決するための手段】
【０００６】
上述の課題を解決するために、請求項１の考案は、雄コネクタ本体と、雄コネクタ本体に可動接続される保護カバーと、を備えるネットワークコネクタであって、雄コネクタ本体は、ケーブルの端部に電気的に接続され、雄コネクタ本体の一方の側部には、弾性係合爪が設けられ、雄コネクタ本体の他方の側部には、保護カバーを可動接続するために用いられる支持フレームが接合され、保護カバーには、ケーブルが貫設され、支持フレームには、弾性係合爪に係合される可動係合部材が設けられ、支持フレームには、バネが嵌設され、バネの一方の端部が保護カバーの内壁の一方の側部の第１の凸部に接触することにより、保護カバーを後方に引っ張ると、バネが圧縮され、保護カバーに設置される連動部により、可動係合部材が駆動されて支持フレームに対して揺動し、可動係合部材が弾性係合爪を下方に押圧することを特徴とするネットワークコネクタである。
【０００７】
請求項２の考案は、可動係合部材は、軸により、支持フレームに枢着されることを特徴とする請求項１に記載のネットワークコネクタである。
【０００８】
請求項３の考案は、支持フレームの一方の端部には、尾部カバーが装着され、尾部カバーの内壁は、バネの他方の端部が接触する第２の凸部を有することを特徴とする請求項１に記載のネットワークコネクタである。
【考案の効果】
【０００９】
本考案のネットワークコネクタは、保護カバーの前進及び後退を制御することにより、可動係合部材の揺動を制御し、雄コネクタ本体の一方の側部に設けられる弾性係合爪を上方に跳ね上げたり、下方に押圧したりすることができる。即ち、ユーザが保護カバーを後方に引っ張ると、弾性係合爪が下方に押圧されるため、本考案のネットワークコネクタを簡単に取り外すことができる。これにより、コネクタの取り外し操作を迅速に行うことができる。
【図面の簡単な説明】
【００１０】
【図１】本考案のネットワークコネクタを示す斜視図である。
【図２】本考案のネットワークコネクタを示す断面図である。
【図３】本考案のネットワークコネクタの保護カバーを後方に引っ張った状態を示す断面図である。
【図４】本考案のネットワークコネクタの支持フレーム及び可動係合部材を示す分解斜視図である。
【考案を実施するための形態】
【００１１】
図１及び図２を参照する。図１及び図２に示すように、本考案のネットワークコネクタは、雄コネクタ本体１と、雄コネクタ本体１に可動接続される保護カバー２と、を含む。雄コネクタ本体１は、ケーブル８の端部に電気的に接続される。雄コネクタ本体１の一方の側部には、弾性係合爪３が設けられる。雄コネクタ本体１の他方の側部には、支持フレーム５が接合される（図２及び図４参照）。支持フレーム５は、保護カバー２を可動接続するために用いられる。保護カバー２には、ケーブル８が貫設される。
【００１２】
支持フレーム５には、弾性係合爪３に係合される可動係合部材４が設けられる。支持フレーム５には、バネ６が嵌設される。バネ６の一方の端部は、保護カバー２の内壁の一方の側部の第１の凸部２１に接触する。
【００１３】
可動係合部材４は、軸７（図４参照）により、支持フレーム５の係合溝５１に枢着される。
【００１４】
本考案のネットワークコネクタを雌コネクタから取り外す場合、保護カバー２を後方に引っ張ればよい（図３参照）。このとき、保護カバー２の内壁上の第１の凸部２１が支持フレーム５に対して後方に移動し、バネ６が圧縮された状態になる。また、保護カバー２の内壁に設置される連動部２３（図３参照）が可動係合部材４を駆動して支持フレーム５に対して揺動させることにより、可動係合部材４が弾性係合爪３を下方に押圧する（図３参照）。これにより、弾性係合爪３と雌コネクタとの係合力が小さくなり、本考案のネットワークコネクタを容易に取り外すことができる。本考案により、コネクタの取り外しを迅速に行うことができる上、雄コネクタ本体１上の弾性係合爪３に手が届きにくい場合でも、コネクタを容易に取り外すことができる。
【００１５】
支持フレーム５の一方の端部には、尾部カバー９が装着される。尾部カバー９の内壁は、バネ６の他方の端部が接触する第２の凸部９１を有する。
【符号の説明】
【００１６】
１  雄コネクタ本体
２  保護カバー
２１  第１の凸部
２３  連動部
３  弾性係合爪
４  可動係合部材
５  支持フレーム
５１  係合溝
６  バネ
７  軸
８  ケーブル
９  尾部カバー
９１  第２の凸部
【図１】
0003187066.tif 000003
【図２】
0003187066.tif 000004
【図３】
0003187066.tif 000005
【図４】
0003187066.tif 000006